(57)【要約】【課題】地下室室内空間を熱効率よく安価な費用で空調できる地下室を提供する。【解決手段】本発明の地下室は、床Ａ、壁Ｂおよび屋根Ｃを建て込んでなる地下室であって、型鋼からなるパネル枠１の底面側全域に鋼板２を固着一体化した鋼製床パネル３を地下室床部に敷設し、更に、該敷設された鋼製床パネル３に根太４を介して床仕上げパネル５を敷設した床Ａを構成すると共に、該鋼製床パネル３の鋼板２と床仕上げパネル５との間に形成される床パネル内空間５１と該地下室の室内空間５２との空気が互いに循環されるよう該床パネル内空間５１に連通した換気装置６を床仕上げパネル５の適所に装着したことを特徴とする。【選択図】図５
2005127117.tif 000002
【特許請求の範囲】
【請求項１】
床、壁および屋根を建て込んでなる地下室であって、型鋼からなるパネル枠の底面側全域に鋼板を固着一体化した鋼製床パネルを地下室床部に敷設し、更に、該敷設された鋼製床パネルに根太を介して床仕上げパネルを敷設した床を構成すると共に、該鋼製床パネルの鋼板と床仕上げパネルとの間に形成される床パネル内空間と該地下室の室内空間との空気が互いに循環されるよう該床パネル内空間に連通した換気装置を床仕上げパネルの適所に装着したことを特徴とする地下室。
【発明の詳細な説明】
【技術分野】
【０００１】  本発明は、地下室の換気装置に関する。さらに詳しくは、熱効率が良く安価に換気を行うことのできる換気装置を装着した地下室に関する。
【背景技術】
【０００２】  従来、地下室空間とその上部に構築された地上建屋空間との空気を強制的に循環して地上建屋空間の冷暖房を熱効率よく行うようにした地下室付き建屋があった。また、地下室空間の空気を戸外に排気するとともに、戸外の空気を地下室空間に給気することにより地下室を換気するというものもあった。
【特許文献１】  実用新案登録公報第２５４４０３７号公報
【特許文献２】  特開平９−３３０６６号公報
【発明の開示】
【発明が解決しようとする課題】
【０００３】  しかしながら、上記特許文献１に示された換気装置は地上建屋空間を熱効率よく換気することを目的としたものであり地下室そのものを熱効率よく空調するというものではなかった。また、上記特許文献２は地下室そのものの換気を目的とするものであるが、地下室と戸外との換気は地上建屋の壁パネル内を通して行われるので換気経路が長くその構造が複雑になるとともに、該地下室の冷暖房を行う場合熱効率が悪く、空調コストが嵩むという問題があった。【０００４】  一方、国内外を問わず地下の地温は年間を通してあまり変化せず、戸外温度に比較して、夏は低く冬は高いことが公知の事実としてよく知られているところである。例えば、東京・大阪における地下３メートルの深さの地温は、平均で摂氏１２度から摂氏１８度である、と言われている。【０００５】  本発明は、上記地下の地温の変化特性を利用することにより、熱効率がよく安価に換気空調を行うことのできる地下室を提供することを課題とするものである。
【課題を解決するための手段】
【０００６】  本発明は、上記課題を解決するために考え出されたものであって、次のような技術的手段を講じている。すなわち、本発明の地下室は、床、壁および屋根を建て込んでなる地下室であって、型鋼からなるパネル枠の底面側全域に鋼板を固着一体化した鋼製床パネルを地下室床部に敷設し、更に、該敷設された鋼製床パネルに根太を介して床仕上げパネルを敷設した床を構成すると共に、該鋼製床パネルの鋼板と床仕上げパネルとの間に形成される床パネル内空間と該地下室の室内空間との空気が互いに循環されるよう該床パネル内空間に連通した換気装置を床仕上げパネルの適所に装着したことを特徴とするものである。【０００７】  上記換気装置に隣接させて、若しくは、該換気装置と適当な距離をおいて、上記床パネル内空間に連通する蓋付き点検孔を上記床仕上げパネルに設け、該蓋付き点検孔を介して掃除機等の吸引ホースを床パネル内空間に挿入し、該床パネル内空間を常に清潔に保つよう掃除できるようにすることが好ましい。このとき、該換気装置の換気口等の適所にはゴミやカビ等を除去するフィルタを装着することが好ましい。【０００８】  上記床パネル内空間に、空気清浄剤を収納し、床パネル内空間で浄化された空気を地下室の室内空間に給気するようにすることが好ましい。該空気清浄剤とは、例えば、結露を防止する除湿剤や乾燥剤、殺虫剤、殺菌剤、或いはホルムアルデヒト等の健康を害する物質に対する防臭除臭剤である。【０００９】  上記パネル枠を周囲枠と中枠とで構成する場合は該中枠にその左右空間を連通させる連通孔を設けて上記鋼製床パネルの床パネル内空間の空気流通を円滑にすることが好ましい。【００１０】  また、換気装置が装着される鋼製床パネルにおいては、そのパネル枠を構成する周囲枠の高さに対してその中枠の高さを低くすることにより、床パネル内空間の容積を大きくし、床パネル内空間の空気の流れを円滑にし、且つ、該換気装置の収納装着空間を確保することが好ましい。勿論、換気装置が装着されない鋼製床パネルにおいてもその中枠の高さを低くしてもよい。【００１１】  鋼製床パネル内における換気装置の収納空間を確保するために、該換気装置の外形の寸法に応じて、パネル枠の周囲枠に対してその中枠を水平方向に適宜ずらせたり、中枠の高さを低くしたりすることが好ましい。又、鋼製床パネルの深さに比較して換気装置の高さ寸法が大きいときは、該換気装置を収納しようとする鋼製床パネルのパネル枠の周囲枠および中枠の高さを大きくすることが好ましい。このとき、換気装置を装着しない残りの鋼製床パネルのパネル枠の高さは、設計上で要求される必要十分な高さのままにしておくことが経済上好ましい。
【発明の効果】
【００１２】  本発明の地下室は上記構成の如く、換気装置で地下室の室内空間と床パネル内空間との空気を循環換気するものであるから、鋼製床パネルの下方の地温と近似した温度の床パネル内空間の空気を地下室の室内空間に給気することになり、従って、夏は戸外よりも冷たい空気が、又、冬は戸外よりも暖かい空気が該室内空間に給気されるとともに、室内空間の空気は該床パネル内空間に吸引排気されて夏は冷やされ冬は温められる。その結果、本発明の地下室は鋼製床パネルの下方の地温を略無制限に活用でき、空調コストを低減させることができ、且つ、室内空間の空気は室内直下の床パネル内空間を循環する方式であり殆ど戸外へ排気されないから、極めて熱効率よく空調できる。更に、鋼製床パネルはコンクリートパネル等に比較して熱伝導率がよいので床パネル内空間の空気の温度は該鋼製床パネルの下方の地温と近似した温度へと効率良く迅速に調節されるのである。【００１３】  又、本発明は鋼製床パネルに根太を介して床仕上げパネルを敷設しているから、鋼製床パネルに直接床仕上げパネルを敷設する場合に比較して、床パネル内空間が大きくなるとともに全体が一つの空間として形成され、該床パネル内空間の空気の流れがよくなり空調効果が良好となる。なお、本発明においては根太を床仕上げパネルの裏面に一体的に設けて床パネル内空間を大きくしてもよい。【００１４】  更に、従来のように地下室の室内空間の空気を地上建屋の壁内を通して、或いは地上建屋の一階床下を通して戸外空気と循環させる方式に比較して、本発明においては、室内空間の空気の循環経路が短くなり、空調装置を設置するための付帯工事も簡単になり、従って、空調の熱効率がよく且つ安価に空調設備を設置できる地下室となる。一方本発明においては、地下室の室内空間の空気と、地下室の床パネル内の空気とを、地下室を構成する屋根パネル内や地下室を構成する壁パネル内を経由して、循環させてもよく、この場合においても該循環経路は比較的短く、該循環経路は実用上閉じた循環経路と見なすことができ、空調の熱効率を良好に維持できる。【００１５】  また、戸外からの空気を殆ど活用しないから、戸外の汚れた空気が室内空間に侵入しにくく、換気装置の吐き出し口或いは適所にゴミやカビ等を除去するフィルタを設けたり、床パネル内空間に、空気清浄剤を収納した場合、これらフィルタや空気清浄剤の機能が長時間にわたって良好に維持される。
【発明を実施するための最良の形態】
【００１６】  以下、本発明の実施形態について図面を参照して、詳細に説明する。図１は、本発明に係る地下室の概略を示す断面図であり、地面Ｈに形成せる穴の内周壁部に山留部材Ｅを設置すると共に、該穴の底部に割栗石Ｇを敷設し、更に、捨てコンクリートＦを打設し、次いで、該捨てコンクリートＦ上に所要枚数の床Ａを建て込むと共に、前記山留部材Ｅの内方に所要枚数の壁Ｂを建て込み、該壁Ｂの上方に所要枚数の屋根Ｃを建て込むと共に壁Ｂの外周面部に埋戻しコンクリートＤを打設して地下室を形成するものである。【００１７】  図２は、本発明に係る地下室の一実施例における床面の概略を示す平面図であり床Ａと壁Ｂを模型的に示している。同図において、床Ａには一対の換気装置６、６が装着されており、その一方が地下室の室内空間５２へ床Ａの裏面空間の空気を給気し、他方が室内空間５２の空気を吸引して床Ａの裏面空間へ排気することにより、地下室の室内空間５２の空気と床Ａの裏面空間の空気とが循環されるようになっている。換気装置６の換気口近傍には必要に応じてゴミやカビ等を除去するフィルタが装着される。同図において、５３は上記換気装置６に隣接させて設置した蓋付き点検孔であり、該蓋付き点検孔５３の蓋を開けることにより掃除機等の吸引ホースを該蓋付き点検孔５３から床Ａの裏面空間に挿入して該裏面空間を掃除できるようになっている。該蓋付き点検孔５３は換気装置６の換気口と兼用する場合もある。【００１８】  図３は、本発明に係る地下室の一実施例における床Ａにおいて、床仕上げパネルを除去した状態を示す部分平面図、図４は、図３におけるＡ−Ａ線断面図である。同図において、３は鋼製床パネルであり右端の鋼製床パネル３の左側に幅がやや小さい鋼製床パネル３が順次敷設されている。これらの鋼製床パネル３は溝型の型鋼（いわゆるＣ形型鋼）で形成された長方形の周囲枠１１と該周囲枠１１の中に架橋されたいわゆるＨ形型鋼からなる中枠１２とでパネル枠１を構成すると共に、該パネル枠１の底面側全域に鋼板２を固着一体化したものである。該右端の鋼製床パネル３は周囲枠１１と同じ高さのＨ型鋼からなる中枠１２を周囲枠１１の縦方向に架橋すると共に、該中枠１２と周囲枠１１との間に２個のＣ形型鋼からなる補助中枠１３、１３を架橋し、更に、該補助中枠１３、１３間にＨ形型鋼からなる補助中枠１４を架橋したものである。該補助中枠１３、１４は周囲枠１１の高さの略半分の高さでありパネル枠１の底面側に面一となっている。換気装置６、６は補助枠１３、１３と中枠１２と周囲枠１１とで仕切られた空間に設置されている。実施例においては各換気装置６の下方に高さが略半分の補助中枠１５を設けている。【００１９】  各鋼製床パネル３、３間はそのパネル枠１の周囲枠１１同士がブチルシーラント等の水密材８（図４においては省略する。図５、図７を参照のこと）を挟持した状態でボルト・ナット等の結合手段７で連結されている。４はパネル枠１の上面に所要間隔をおいて敷設された根太である。鋼製床パネル３の床パネル内空間５１内には空気清浄剤３１が収納されている。空気清浄剤３１とは、結露を防止する除湿剤や乾燥剤、殺虫剤、殺菌剤、或いはホルムアルデヒト等の健康を害する物質に対す���防臭除臭剤である。【００２０】  図５は、図２に示した換気装置６および蓋付き点検孔５３における部分拡大断面図である。同図に示されているように、床パネル内空間５１は該鋼製床パネル３の鋼板２と床仕上げパネル５との間に形成される。床仕上げパネル５は化粧床板材を根太４に直接に敷設する場合と、予め独立して形成した床パネルを所要枚数根太４に敷設する場合とがある。換気装置６はガラリ等からなる換気口６１とゴミやカビ等を除去するフィルタ６２を設けており、床パネル内空間５１に収納した空気清浄剤３１で浄化された空気は更にフィルタ６２で濾過された後地下室の室内空間５２に給気されるのである。室内空間５２に給気された空気は別の箇所に設置された換気装置６で床パネル内空間５１に再び吸引（排気）される。このようにして、該鋼製床パネル３の鋼板２と床仕上げパネル５との間に形成される床パネル内空間５１と該地下室の室内空間５２との空気が互いに循環される。該床パネル内空間５１を流れる空気を矢印で示している。該空気が循環されるとき、床パネル内空間５１は根太４の高さ分だけ一層大きくなっており該空気の循環が円滑に行われるのである。蓋付き点検孔５３を開口して該床パネル内空間５１内に掃除機等の吸引ホース（図示せず）を挿入することにより、該床パネル内空間５１は必要に応じて清掃される。【００２１】  鋼製床パネル３の裏面下方の地温と近似した温度である床パネル内空間５１の空気を地下室の室内空間５２に給気することになり、夏は戸外よりも冷たい空気が、又、冬は戸外よりも暖かい空気が該室内空間５２に給気される。必要に応じて、該換気装置６に設けられた冷暖房装置（図示せず）を併用することにより地下室室内空間５２の空調が強化される。【００２２】  上記実施例においては、床パネル内空間５１の空気を室内空間５２へ給気するための換気装置６と、室内空間５２の空気を床パネル内空間５１へ吸引排気するための換気装置６とを、一対としてそれぞれを床仕上げパネル５の適所に装着したが、必要に応じて複数個の該換気装置６をそれぞれ適所に装着してもよい。【００２３】  図６は、本発明に係る地下室の他の実施例を示す部分断面図であり、床面に設けた換気装置６と壁Ｂに設けた換気装置６との関係を示している。該実施例は地下室の室内空間５２の空気を吸引するための換気装置６を単なる換気口６１として壁Ｂに設けたものである。同図においては、説明のために換気装置６、６を互いに近接して設置しているが、実際の設置においては、床仕上げパネル５に設けられる換気装置６と壁Ｂの室内側壁面に設けられる換気装置６は、互いに適切な距離をおいて装着される。該実施例においては、壁Ｂは前記鋼製床パネル３と同様の構成の鋼製壁パネル９で形成されており、鋼製壁パネル９に設けた吸引用換気装置６から吸引された空気は鋼製壁パネル９内の空間を経由して床パネル内空間５１に導かれた後その温度を床パネル内空間５１の温度へと調節され、再び、該空気は床仕上げパネル５に装着した給気用の換気装置６を介して室内空間５２へ給気される。この実施例においても、鋼製壁パネル９に装着される換気装置６および床仕上げパネル５に装着される換気装置６を複数個設けてもよく、また、いず��の換気装置を給気用或いは吸引排気用にするかは、その都度必要に応じて決定される。【００２４】  また、実施例としては図示していないが、図１における屋根Ｃも前記鋼製床パネル３と同様の構成の鋼製屋根パネルで構成し、該鋼製屋根パネルに一個又は複数個の換気装置を装着することにより、室内空間５２の空気を鋼製屋根パネル内空間、鋼製壁パネル９内空間、を経由させて床パネル内空間５１に導入し、該空気を床パネル内空間５１の温度へと調節した後、再び室内空間５２に給気してもよい。勿論該空気の流れは上記の流れと逆方向にしてもよい。【００２５】  図７は、本発明に係る地下室の更に他の実施例を示すものであり、床仕上げパネル５に装着した換気装置６における部分断面図である。当該実施例は換気装置６の高さ方向の外形寸法が標準の鋼製床パネル３の深さより大きい換気装置６を装着する場合であり、該換気装置６を収納しようとする鋼製床パネル３のパネル枠１を構成する周囲枠１１および中枠１２の高さを、該換気装置６を装着しない残りに標準の鋼製床パネル３のパネル枠１の高さよりも大きくしたものである。他の構成については図５に示した実施例と同様の構成である。【００２６】  以上、本発明の実施形態について説明したが、本発明は上記実施例に限定されない。例えば、鋼製床パネル３の構成を種々に変化させることによって、夏は低く冬は高い地下の地温の変化特性を効率的に活用することができる。又、一方の換気装置６を該床パネル内空間５１に連通するよう床仕上げパネル５に設けると共に、他方の換気装置６は床仕上げパネル５、鋼製壁パネル９或いは屋根パネルの何れに装着してもよい。即ち、地下室の室内空間５２の空気が床パネル内空間５２を経由して循環されれば、本発明の効果を奏することができるのであり、該循環経路は床パネル内空間５１のみに限定されないのである。従って、本発明の特許請求の範囲と実質上同一の構成を有し、同一の作用効果を奏するものはすべて本発明の技術的範囲に含まれる。
【図面の簡単な説明】
【００２７】
【図１】  本発明に係る地下室の概略を示す断面図。
【図２】  本発明に係る地下室の一実施例における床面の概略を示す平面図。
【図３】  本発明に係る地下室の一実施例における床仕上げパネルを除去した状態を示す平面図。
【図４】  図３におけるＡ−Ａ線断面図。
【図５】  図２における換気装置および蓋付き点検孔の部分拡大断面図。
【図６】  本発明に係る地下室の他の実施例における床面の換気装置と壁パネルに設けた換気装置との関係を示す部分断面図。
【図７】  本発明に係る地下室の更に他の実施例であって床仕上げパネルに装着された換気装置における部分断面図。
【符号の説明】
【００２８】  Ａ…床、Ｂ…壁、Ｃ…屋根、Ｄ…埋め戻しコンクリート、Ｅ…山留部材、Ｆ…捨てコンクリート、Ｇ…割栗石、Ｈ…地面、１…パネル枠、１１…周囲枠、１２…中枠、１３…補助中枠、１４…補助中枠、１５…補助中枠、２…鋼板、３…鋼製床パネル、３１…空気清浄剤、４…根太、５…床仕上げパネル、５１…床パネル内空間、５２…室内空間、５３…蓋付き点検孔、６…換気装置、６１…換気口、６２…フィルタ、７…結合手段、８…水密材、９…鋼製壁パネル。
【図１】
2005127117.tif 000003
【図２】
2005127117.tif 000004
【図３】
2005127117.tif 000005
【図４】
2005127117.tif 000006
【図５】
2005127117.tif 000007
【図６】
2005127117.tif 000008
【図７】
2005127117.tif 000009